Podtech/llm-jp-corpus-v4-ja_patent huggingface dataset:
(57)【要約】      （修正有）【課題】舌苔を除去しながら、舌の上に除去した舌苔を一掻きごとに、綺麗に取り去ることができる舌苔除去ブラシ、クリーナーの提供。【解決手段】本考案は、従来のように舌を洗浄しながら、舌の上に除去した舌苔を掻き集めるだけでなく、舌苔を洗浄し、舌の上に除去した舌苔を残さず取り込み取り除く構造、すなわち植毛ブラシ部分に舌苔を掻き取るヘラ部分を併設し、且つ、植毛ブラシ部分と舌苔を掻き取るヘラ部分との間に、背面に抜ける空洞を設けて、空洞部及び背面部に除去した舌苔を取り込み、貯留部を形成することによって、舌の上の舌苔を洗浄しながら、舌の上の舌苔と唾液を一緒に取り除く構造、構成である。【選択図】図１
0003126021.tif 000002
【実用新案登録請求の範囲】
【請求項１】
次の（１）〜（４）のすべての構造、構成から成る舌苔除去ブラシ、クリーナー。
（１）     
把持柄部とその一方の先端部は基本的にＴ字型又は扇形、丸型を成していて
（２）  その先端部は舌苔を掻き取るヘラ部と熊手状の突起、又は植毛しているブラシ部で、且つ前記へラ部とブラシ部との間には、背面に貫通した空洞を有し
（３）  把持柄部と一体として整形されている
（４）  また前記背面に貫通した空洞の出口部分は除去した舌苔を貯留する受け皿を成形する
【考案の詳細な説明】
【技術分野】
【０００１】
本考案は、舌苔除去ブラシ、クリーナーに関するものである。
【背景技術】
【０００２】
従来の舌苔除去ブラシ、クリーナーにはヘラタイプと、ブラシタイプの２種類に大別され、ヘラタイプはヘラ本体が金属製やプラスチック製の剛性タイプと、シリコーン製ソフトタイプ等の種類がある。
【０００３】
またブラシタイプは、歯ブラシ状に植毛したものや、Ｙ字状の枠体に植毛したワイヤーを左右に張り渡したものもある。
【０００４】
前記従来の舌苔除去ブラシは、舌苔を洗浄し、残りカスを除去し、舌の上に除去した舌苔を掻き集めるだけである。
【０００５】
したがって、前記従来の舌苔除去ブラシでは、舌苔を除去しても舌の上に除去した舌苔を掻き集めるだけであり、舌の上に除去した舌苔が残り、別途ティッシュペーパーや布巾などで拭き取る、又は吐き出す必要がある。
【特許文献１】特開２００１−６１８４９号公報
【特許文献２】特許公報  第３０６９３４８号
【考案の開示】
【考案が解決しようとする課題】
【０００６】
解決しようとする問題点は、従来の舌苔除去ブラシでは、舌の上に除去した舌苔がそのまま残っており、別途にティッシュペーパーやハンカチ、布巾などで拭き取るか、吐き出すより他にないのが欠点である。
【課題を解決するための手段】
【０００７】
本考案は、従来のように舌を洗浄しながら、舌の上に除去した舌苔を掻き集めるだけでなく、舌苔を洗浄し、舌の上に除去した舌苔を残さず取り込み取り除く構造、すなわち植毛ブラシ部分に舌苔を掻き取るヘラ部分を併設し、且つ、植毛ブラシ部分と舌苔を掻き取るヘラ部分との間に、背面に抜ける空洞を設けて、空洞部及び背面部に除去した舌苔を取り込み、貯留部を形成することによって、舌の上の舌苔を洗浄しながら、舌の上の舌苔と唾液を一緒に取り除く構造、構成であることを最も主要な特徴とする。
【考案の効果】
【０００８】
本考案の舌苔除去ブラシは植毛ブラシ部分に舌苔を掻き取るヘラ部分を併設し、且つ、背面に抜ける空洞、貯留部を設けたことで、舌苔を洗浄し掻き集めるだけではなく、舌の上を一と掻きする度に、唾液も一緒にブラシ側に絡め取り、取り除くという点である。またよりシンプルなＴ字型の場合、廉価な普及品の提供が可能となる。なお除去した舌苔を直に目にすることで、口腔衛生の必要性をあらためて再認識し、必然的にその意識向上につながる。
【考案を実施するための最良の形態】
【０００９】
舌苔を除去しながら、舌の上に除去した舌苔を一と掻きごとに、綺麗に取り去るという目的を、シンプルに実現した。
【実施例１】
【００１０】
図１は、本考案の舌苔除去ブラシの１実施例であって、（イ）は正面図、（ロ）はその背面図、（ハ）は図イのＡ−Ａ“の側断面図である。
【００１１】
把持柄部１とその一方の先端部は扇形を形成していて
【００１２】
前記先端部はヘラ部２、植毛しているブラシ部４を採用した実施例であって、且つ前記ヘラ部２とブラシ部４との間には、背面に貫通した空洞を有する構成となっている。
【００１３】
ブラシ部４の毛足は、ヘラ部２と同じまたは若干長く、舌上の食べ物の残りカスを、洗浄、掻き回して舌の表面に浮かせたところを、ヘラ部２で唾液と一緒に舌苔を掻き取り、
【００１４】
掻き取った唾液と舌苔は、背面に貫通した空洞３に取り込まれ、空洞３で溢れた舌苔は背面の貯留する受け皿部５に流れ込んで一時貯留する。
【００１５】
前記の除去された唾液と舌苔の移動、流れは、ブラシ部４の一掻き、一動作の度に繰り返されることになる。
【００１６】
したがって、ブラシ部４の一掻きによって、除去された唾液と舌苔は舌上に残ることなく、ブラシ部４側に取り去ることができる。なお、ブラシ部４が従来のＹ字状の枠体に植毛したワイヤーを左右に張り渡した場合も同様の効果、成果が期待できる。
【実施例２】
【００１７】
図２は、本考案の舌苔除去ブラシの１実施例であって、（イ）は正面図、（ロ）は図イのＡ−Ａ“の側断面図である。
【００１８】
本実施例は、きわめてシンプルなＴ字形舌苔除去ブラシの１実施例であって、その構造構成及び機能は実施例１と基本的に同じであるが、
【００１９】
ブラシ部４には熊手状の突起を採用する。したがって、実施例１よりも小さく単純、より廉価な商品として提供することを可能とする実施例である.。
【産業上の利用可能性】
【００２０】
本考案の舌苔除去ブラシは、健常者の使用はもちろんのこと，第三者、介護師等による介護用にも適し、被介護者の口腔ケア、簡易な衛生器具として実用的であり、また、形状もシンプルな普及品として大いに役立つものと考える。
【図面の簡単な説明】
【００２１】
【図１】扇形の舌苔除去ブラシの実施方法を示した説明図である。（実施例１）
【図２】きわめてシンプルな、Ｔ形の舌苔除去ブラシの実施方法を示した説明図である。（実施例２）
【符号の説明】
【００２２】
１    把持柄部
２    ヘラ部
３    背面に貫通した空洞
４    熊手状の突起、又は植毛しているブラシ部
５    舌苔を貯留する受け皿部
６     弾性部
【図１】
0003126021.tif 000003
【図２】
0003126021.tif 000004
(57)【要約】【課題】海水泡消去濾過器を提供する。      【解決手段】本考案は、管体１１を設置し、その管体１１の底端は徐々に広がってラッパ型を形成する泡保存槽と、仕切板で納置槽を形成し、その出口に高、低位置に配列した多層の斜面２１、２２を設置し、一側面には出水口２３を設置する攪拌槽２と、攪拌槽２の別側に設置し、その内管の適する位置には気泡回収孔４２を設置し、引水モータ５と連接し、かつ、入気管６と繋がる入水管４から構成されることを特徴とする。【選択図】図１
0003126087.tif 000002
【実用新案登録請求の範囲】
【請求項１】
管体を設置し、その管体の底端は徐々に広がってラッパ型を形成する泡保存槽と、
仕切板で納置槽を形成し、その出口に高、低位置に配列した多層の斜面を設置し、一側面には出水口を設置する攪拌槽と、
攪拌槽の別側に設置し、その内管の適する位置には気泡回収孔を設置し、引水モータと連接し、且つ入気管と繋がる入水管から構成された海水泡消去濾過器において、
前述の部品を組合せ、泡消去濾過器を構成し、それを水槽に引っ掛け、引水モータで水槽内の水を入水管から攪拌槽内に送り、そこで高、低の多層回の斜面を利用して水槽の水に渦巻き衝撃を与えて細かな泡を形成し、その泡は管体を通じて上昇させ、泡保存槽へ送り、水中の蛋白質、アンモニア、塩素ガス等の有害雑質を濾過することを特徴とする海水泡消去濾過器。
【考案の詳細な説明】
【技術分野】
【０００１】
本考案は、海水泡消去濾過器に関するもので、水槽の水に渦巻き衝撃を与えて細かな泡を形成し、その泡は管体を通じて上昇させ、泡保存槽へ送り、水中の蛋白質、アンモニア、塩素ガス等の有害雑質を濾過するものである。
【背景技術】
【０００２】
一般の海水外掛け式泡消去濾過器は、水槽内の水質を濾過するもので、公知の濾過器は、濾過材を濾過の部品とする。この種の方法は、水中に存在する蛋白質、アンモニア、塩素ガス等有害な雑質に対して確実有効な濾過を実行することができない。飼育する魚類に海水が必要な場合、更に理想的な濾過効果を得ることができない。
【特許文献１】特開２００４−２９８８６１号公報
【考案の開示】
【考案が解決しようとする課題】
【０００３】
解決しようとする問題点は、公知の濾過部品に依る濾過では、有害な雑質を完全に濾過できない点である。
【課題を解決するための手段】
【０００４】
上記課題を解決するために、本考案は、管体を設置し、その管体の底端は徐々に広がってラッパ型を形成する泡保存槽と、仕切板で納置槽を形成し、その出口に高、低位置に配列した多層の斜面を設置し、一側面には出水口を設置する攪拌槽と、攪拌槽の別側に設置し、その内管の適する位置には気泡回収孔を設置し、引水モータと連接し、且つ入気管と繋がる入水管から構成された海水泡消去濾過器において、前述の部品を組合せ、泡消去濾過器を構成し、それを水槽に引っ掛け、引水モータで水槽内の水を入水管から攪拌槽内に送り、そこで高、低の多層回の斜面を利用して水槽の水に渦巻き衝撃を与えて細かな泡を形成し、その泡は管体を通じて上昇させ、泡保存槽へ送り、水中の蛋白質、アンモニア、塩素ガス等の有害雑質を濾過することを特徴とする海水泡消去濾過器を提供する。
【考案の効果】
【０００５】
本考案の海水泡消去濾過器は、水槽の水に渦巻き衝撃を与えて細かな泡を形成し、その泡は管体を通じて上昇させ、泡保存槽へ送り、水中の蛋白質、アンモニア、塩素ガス等の有害雑質を濾過するという利点がある。
【考案を実施するための最良の形態】
【０００６】
本考案の主な目的は、海水泡消去濾過器を提供することによって、海水中の有害な雑質を濾過し、水槽内を清浄な水の状態で維持することを目的とする。
【０００７】
前述の濾過器は、泡保存槽及び攪拌槽で構成された箱体を設置する。そのうち、泡保存槽は、箱体上方に設置し、攪拌槽は出口に高、低の斜面を設置し、その箱体の一側面には引水モータに連接した入水管を設置し、入水管と入気管を繋げる。箱体を水槽に引っ掛け、入水管から水槽内の水を引いて攪拌槽に送ると、攪拌槽の高、低多層回の斜面が水に渦巻き衝撃を与えて細かな泡を発生させる。この泡を上昇させて泡保存槽へ送り、水中の雑質を濾過する。
【０００８】
前述の濾過器のうち、泡保存槽は、管体を設置し、その管体の底端は徐々に広がるラッパ型を形成し、泡を泡保存槽に上昇しやすくしている。
【０００９】
上述の濾過器のうち、入水管の内管の適する箇所に気泡回収孔が設置して気泡量を増大させる。
【００１０】
図１、２、３に示すとおり、本考案は、主に泡保存槽１、攪拌槽２及び蓋体３から構成される。そのうち、泡保存槽１は、管体１１を設置し、その管体１１の底端は徐々に広がったラッパ形状を形成する。
【００１１】
攪拌槽２は、仕切板で納置区を形成し、その出口は高低位に配列した斜面２１、２２を設置し、その一側面には出水口２３を設置する。
【００１２】
箱体の一側面には、入水管４を設置し、その入水管４の内管の適する箇所には気泡回収孔４２を設置し、その入水管４を引水モータ５に連接し、且つ入水管４と入気管６を繋ぎ、入水管４には水量を制御する回転ボタン４１を設置する。
【００１３】
前述の部品を組み立てる場合、泡保存槽１を攪拌槽２上方に被せ、蓋体３で蓋をすると、泡消去濾過器が完成する。この箱体を水槽に掛け、入水管４で水槽の水を攪拌槽２に送った後、攪拌槽２内に於いて多層の高、低斜面２１、２２を利用して水に回転衝撃を与えて細かな泡を発生させる。そして濾過後の水を出水口２３から出し、発生した泡は、管体１１を上昇して泡保存槽１に送られ、水中の蛋白質、アンモニア、塩素ガス等有害な雑質を濾過する。
【００１４】
図４に示すとおり、本考案を使用する場合、引水モータ５によって水槽内の水が入水管４から攪拌槽２へ送られる。入気管６では空気が送られ、水を攪拌槽２内に入れると、攪拌槽２内に設置した多層高、低斜面２１、２２によって、水に渦巻き衝撃を与えて細かな泡を発生させ、水中の雑質をろ過し、且つ濾過後の水を出水口２３から排出する。
【００１５】
図５に示すとおり、攪拌槽２で泡が発生すると、これらの泡は押されて管体１１から上へ上昇し、泡保存槽１内に入り、泡が一定の容量に達したら、その泡保存槽１を外して泡を外へ出すと、濾過の効果を維持することができる。
【図面の簡単な説明】
【００１６】
【図１】本考案の立体図である。
【図２】本考案の分解図である。
【図３】本考案の断面図である。
【図４】本考案の泡発生実施例図である。
【図５】本考案の泡上昇実施例図である。
【符号の説明】
【００１７】
１    泡納置槽
１１  管体
２    攪拌槽
２１  斜面
２２  斜面
２３  出水口
３    蓋体
４    入水管
４１  回転ボタン
４２  気泡回収孔
５    引水モータ
６    入気管
【図１】
0003126087.tif 000003
【図２】
0003126087.tif 000004
【図３】
0003126087.tif 000005
【図４】
0003126087.tif 000006
【図５】
0003126087.tif 000007
(57)【要約】【課題】    木版画木彫などに用いるきわめて安価な丸刀の裏刃の手研ぎ具を提供する。【解決手段】各種サイズのある小径の使用済みプレスパンチやストレートシャンクドリルの刃部の径が、摩耗して不用になったシャンク部を磨いてそれらの一部約１／２に熱収縮フイルムを被せて収縮し硬化させる。  そして研ぐときは、このフイルム部分を手で持ち、フイルムを被せてない部分で丸刀の裏刃の手研ぎ具として使うようにした。【選択図】図１
0003126972.tif 000002
【実用新案登録請求の範囲】
【請求項１】
表面研磨丸棒状本体１の一部に挟持部２を儲けて構成したことを特徴とする丸刀裏刃研ぎ具
【請求項２】
挟持部２を補助構成材３とで構成したことを特徴とする請求項１記載の丸刀裏刃研ぎ具
【考案の詳細な説明】
【考案の詳細な説明】
【技術分野】
【０００１】    本考案は、木版画用、木彫用などの丸刀の裏刃の仕上げ研ぎに用いる手動の研ぎ具係ることである。
【背景技術】
【０００２】    丸刀を手で研ぐには、普通４分１円に近い凹状溝の大小数種に形成された人造砥石で表刃を研ぎ、次に凸状半円に近い砥石の相当箇所で裏刃を研ぐ（実公開昭６１−１４１０７２第一図２，１参照）
【考案が解決しようとする課題】
【０００３】    上記した従来技術による場合、凸状半円の人造砥石の適当と思われる箇所に丸刀裏刃をかぶせて目で接触箇所を確認出来ないような状態で、縦方向に摺動し研ぐことになってよほどの熟練をしたものでないと、かえって刃先が乱れ味が悪くなる欠点がおきる。
【課題を解決するための手段】
【０００４】    上記欠点を、除くため本考案による丸刀裏刃研ぎ具は、研ぐ丸刀の裏刃を上にして固定し、研ぐ部位を確認しながら、研ぎ作業を行うようにできる。
【考案を実施するための最良の形態】
【０００５】    図１は本考案の木版画用木彫用丸刃の裏刃研ぎ具の本体１にストレートパンチ用材を用い挟持部２に熱収縮フィルムをかぶせフィルムを収縮固定させた最も簡単なタイプの丸刀裏刃の手研ぎ具である。【０００６】    挟持部２を形成する熱収縮フィルムは、各種任意の径、厚み、色彩が有りこれらを巧みに組み合わせて、使用目的別に判り易い状態で使用することができ、効率の良い研ぎ作業が出来る丸刀裏刃手研ぎ具になる。【０００７】    図２は、刃部の摩耗が許容公差を超えたストレートシャンクドリルのシャンク部を磨いて本体１として活用した例を示す。挟持部２については図１図３と同様に扱うことが出来る。【０００８】    図３は、図３（ｂ）Ａ−Ａ’矢視図のように挟持部を簡易に強化するため補助構成材３ａ３ｂ３ｃを加えて挟持部２の強化確実性を持たせた。
【考案の効果】
【０００９】    本考案は、木版画用、木彫用などの丸刀の裏刃の仕上げ研ぎに用いる本体１に断面丸径の熱処理硬化材（プレスパンチ材、ストレートシャンクドリルのシャンク部）の用済み後廃材を、きわめて簡単な方法で挟持部２を形成させて再利用させたことである。
【００１０】  しかも上記廃材は、多くの寸法差をもちどの径の丸刃にも合う裏刃研ぎ具がきわめて安価にできる。
【００１１】  なお上記丸刃の裏刃のごとく超精密仕上面の研磨には、裏刃より硬い硬度の硬化熱処理をした本体１の金属が、超精密仕上げ面を荒らさないで精密仕上げができて最適である。
【図面の簡単な説明】
【図１】  本考案丸刀裏刃の手研ぎ具で本体１にストレートパンチ材を用いた例を示す斜視図である。
【図２】  本考案丸刀裏刃の手研ぎ具で本体１に用済みのストレートシャンクドリルのシャンク部を用いた例である。
【図３】  本考案丸刀裏刃の手研ぎ具の挟持部の挟持を確実にするため挟持補助軸３ａ３ｂ３ｃ３ｄを付加した例を示す例である。
【符号の説明】
１本体  １ａ  １ｂ
２挟持部
３ａ３ｂ３ｃ３ｄ挟持部補助軸
【図１】
0003126972.tif 000003
【図２】
0003126972.tif 000004
【図３】
0003126972.tif 000005
(57)【要約】【課題】  本考案は歯磨き時に液が飛散するのを防止する。【解決手段】  本考案はマスク本体１に空間を設け、前面に割れ目２を設けて歯ブラシを出入りさせて、且つ、自在に動かせることにより、液が飛散するのを防止して歯磨きができる。【選択図】図１
0003126947.tif 000002
【実用新案登録請求の範囲】
【請求項１】
マスク本体に空間と割れ目を設けて、歯ブラシが出入りして自在に動けるようにして液の飛散を防ぐことを特徴とする歯磨き液飛散防止マスク
【考案の詳細な説明】
【技術分野】
【０００１】  本考案は、歯磨き時に飛散する液を防止するマスクに関するものである。
【背景技術】
【０００２】  歯ブラシで歯をブラッシングすると液が口外へ飛散していた。
【考案の開示】
【考案が解決しようとする課題】
【０００３】  液の飛散は着衣及び壁や床等を汚し、また、不衛生である。従って、飛散防止マスクを付けて歯磨きすることにより前述を解決しようとするものである。
【課題を解決するための手段】
【０００４】  本考案は、マスク本体に空間と割れ目を設け、歯ブラシを自在にマスク本体内で動かせるようにし、且つ、割れ目の幅を最小限度にすることにより問題点を解決している。
【考案の効果】
【０００５】  上述のように、本考案の歯磨き液飛散防止マスクを付けることにより、液の飛散を心配することなく、洗面所は勿論、リビング等場所を選ばない歯磨きに役立つ。
【考案を実施するための最良の形態】
【０００６】  マスク本体をゴム紐で耳に掛けて固定し、マスク本体の割れ目を指で広げて歯ブラシを差し込み、後は通常の歯磨きをする。
【実施例】
【０００７】  以下、添付図面に従って一実施例を説明する。１は伸縮して弾力に富むゴムやシリコン等適宣素材にて形成されたマスク本体、２は歯ブラシを出入りさせて自在に動かせるように、該マスク本体１に設けた割れ目で、３は該マスク本体１を固定するため耳に掛けるゴム紐を付ける穴である。
【図面の簡単な説明】
【０００８】
【図１】本考案の歯磨き液飛散防止マスクの一実施例を示す正面図である。
【図２】本マスクの横面図である。
【符号の説明】
【０００９】  １  マスク本体
２  割れ目
３  ゴム紐を付ける穴
【図１】
0003126947.tif 000003
【図２】
0003126947.tif 000004
【手続補正書】
【提出日】平成18年8月18日(2006.8.18)
【手続補正１】
【補正対象書類名】図面
【補正対象項目名】全図
【補正方法】変更
【補正の内容】
【図１】
0003126947.tif 000005
【図２】
0003126947.tif 000006
(57)【要約】【課題】  容器内部に網棚を付けたぬかみそ容器を提供する。【解決手段】容器内部の上部に網掛け部となる突出部を設け網を設けたことを特徴とするぬかみそ容器。【選択図】図１
0003126941.tif 000002
【実用新案登録請求の範囲】
【請求項１】
容器内部の上部に網掛け部となる突出部を設け網を設けたことを特徴とするぬかみそ容器。
【考案の詳細な説明】
【技術分野】
【０００１】本発明は、容器内部に網棚を付けたぬかみそ容器に関するものである。
【背景技術】
【０００２】従来、様々な形状のぬかみそ容器があったが、網棚付のものはなかった。
【考案の開示】
【考案が解決しようとする課題】
【０００３】そのために、次のような問題点があった。
（イ）容器に手を入れ素材をつかみきれいにぬかみそを落とすことや、毎日の攪拌も現代の人にとっては厄介と思われ、手袋をつけての作業もその後始末のこともあるり、またきれいに落とさず流し台で洗い流すことになる。また、夏季には高温となるためにぬか床もあたたまり素材も漬かりすぎたりひんやり感も失せてしまう。
（ロ）最近即席漬けとして液体物粉末物などがあるが、伝統の発酵食品ぬかみその美味は継続したいものである。また、時々ぬかをたすことで繰り返し使用でき経済的でもあり、今後も普及させたい漬け物である。
【課題を解決するための手段】
【０００４】  容器内部の上部に網掛け部となる突出部を設け、網を掛ける。以上を特徴とするぬかみそ容器である。付帯品としてトングと刷毛保冷剤を必要とするが、一般のキッチン用のを用意する。
【考案の効果】
【０００５】（イ）トングを使って攪拌し、漬ける素材もトングで差し込み、漬けた素材をトングで引き出し、網棚の上に乗せ刷毛を使ってぬかを払い落とすことにより、さっぱりと容器の中に落とすことができる。流しにぬかみそを流すこともなくなる。
（ロ）保冷剤を網棚に置くことにより夏季には、ぬかどこをひんやりさせることができるため漬けすぎずひんやりした素材を味わえることになる。
（ハ）底楕円周りのなだらか形状は、トングの攪拌が行いやすくして、把つ手に紐など掛けられることで、床下等の上げ下げも楽に行え、冷蔵庫にも収納やすい形状で旅行等に出かける時に入れることで味を損なわず継続できる。
【考案を実施するための最良の形態】
【０００６】以下、本考案の実施の形態について説明する。
（イ）容器（１）の外部に杷つ手（２）を設け内部の上部に突出部（３）を設け網（４）を設けふた（５）を設け底楕円周り（６）を備える。
（ロ）トングと刷毛また保冷剤は一般にあるキッチン用を使用する。
【実施例１】
【０００７】容器材質は、強力なセラミックス等かホーローなど軽く扱いやすいものにする。網はステンレス等にする。
【図面の簡単な説明】
【０００８】
【図１】  容器の内部網棚セットの平面図である
【図２】  容器の一方側面図である。
【図３】  容器の一方側面図である。
【符号の説明】
【０００９】    １  容器
２  把手
３  突出部
４  網
５  ふた
６  底楕円周り
【図１】
0003126941.tif 000003
【図２】
0003126941.tif 000004
【図３】
0003126941.tif 000005
(57)【要約】【課題】従来の、食品保存容器には、内側に区分した小箱型をセットし、取り出し可能するこができず、保存する場合、食品を混合し調味度を変化させる。その課題を解決する。【解決手段】食品保存容器の、内側を区分し、食品を混合せず保存し、又調味度を変化させず、保存を可能とする。【選択図】図１
0003126915.tif 000002
【実用新案登録請求の範囲】
【請求項１】
食品保存容器、長さ２０ｃｍ、高さ５ｃｍ、横１５ｃｍの箱型、蓋付、内側に小箱型を３個セットし、常時取り外し可能とする、食品保存容器の請求項をする。
【考案の詳細な説明】
【技術分野】
【０００１】箱型容器内側に、小箱型を３個セットし、区分した所に食品を混合せずに、食品保存を可能とする。
【背景技術】
【０００２】従来の、食品保存容器には、内側に小箱型を３個にセットし、取り外しを可能とする容器がなく考案された、容器はそれらを解決し食品を混合せず、保存を可能とする。
【考案の開示】
【考案が解決しょうとする課題】
【０００３】複数の食品を、混合せずに、区分し調味度を変化させず、保存することを解決する
【課題を解決するための手段】
【０００４】食品保存容器箱型，蓋付，内側に区分した小箱型をセットし、取り外し可能する
それによって、食品を混合せず＿又調味度を変化させず保存する。
【考案の効果】
【０００５】従来の、食品保存容器には、内側を区分した、容器がなく考案された容器は、それを解決し保存食品を混合せず、なおかつ調味度を変化させずに、保存を可能とする。
【考案を実施するための最良の形態】
【０００６】
【実施例】
【０００７】
【産業上の利用可能性】
【０００８】
【０００９】
【図面の簡単な説明】
【００１０】
【図１】「箱型を区分した平面図である」
【図２】「箱型の内側に小箱型をセットした断面図である」
【符号の説明】
【００１１】１  取り外し可能な小箱型
２  取り外し可能な小箱型
３  取り外し可能な小箱型
４  箱型にセットした小箱型
５  箱型の外側
【図１】
0003126915.tif 000003
【図２】
0003126915.tif 000004
【手続補正書】
【提出日】平成18年8月18日(2006.8.18)
【手続補正１】
【補正対象書類名】実用新案登録請求の範囲
【補正対象項目名】全文
【補正方法】変更
【補正の内容】
【実用新案登録請求の範囲】
【請求項１】
電子レンジ加熱から食品冷凍まで、可能とする材質を用いた食品保存容器とし、主体容器の内側に収納容器を区画
した容器を取り外し可能とする、食品保存容器。
【手続補正２】
【補正対象書類名】明細書
【補正対象項目名】全文
【補正方法】変更
【補正の内容】
【考案の詳細な説明】
【技術分野】
【０００１】  食品保存容器の、主体容器の内側に複数の収納容器を区画し容器を取り外し可能とし冷凍保存、電子レンジ過熱まで可能とする。
【背景技術】
【０００２】  従来の、食品保存容器は、主体容器のみで有り複数の食品を保存する場合混合せざるえない、その為、調味度が変化する。
考案された食品保存容器は、調味度を変化させず主体容器の内側に複数の収納容器を区画しそれを取り外し可能
としそれらの問題を解決する。
【考案の開示】
【考案が解決しょうとする課題】
【０００３】  複数の食品を混合させず、また調味度の変化をさせず新鮮な食品の保存の課題を解決する考案である。
【課題を解決するための手段】
【０００４】  食品保存容器の、主体容器の内側に複数の収納容器を区画しそこに食品保存を可能とする食品保存容器。
【考案の効果】
【０００５】  食品保存をする場合、食品を区画した収納容器に保存する為、食品を混合させず、また調味度の変化をさせず食品
保存を可能とする。
【０００６】
【実施例】
【０００７】
【０００８】
【産業上の利用可能性】
【０００９】
【図面の簡単な説明】
【００１０】
【図１】  「食品保存容器の、主体容器と複数の収納容器の平面図である」
【図２】  「食品保存容器の、主体容器と複数の収納容器の断面図である」
【符号の説明】
【００１１】  １  複数の収納容器取り外し可能
２  複数の収納容器取り外し可能
３  複数の収納容器取り外し可能
４  主体容器
５  複数の主体容器取り外し可能
６  主体容器
【手続補正３】
【補正対象書類名】図面
【補正対象項目名】全図
【補正方法】変更
【補正の内容】
【図１】
0003126915.tif 000005
【図２】
0003126915.tif 000006
(57)【要約】【課題】  本考案は、食材を安全に、また、騒音を発生させることなく大きさを均一に、かつ、迅速に細かくすることが出来る。網の取り付け取り外しが簡単なので水洗いが簡単に行え衛生的に使用できる。【解決手段】  本考案は、２の下部に３の鋼鉄製網を取り付け固定した容器の中に食材を置き、１を２の上部から差込両手で取っ手を握り、３から食材を押し出し均一に細かくすることにより問題点を解決している。【選択図】図１
0003126916.tif 000002
【実用新案登録請求の範囲】
【請求項１】
茹でる等して柔らかくした食材を、均等に細かくする押し出し器
【請求項２】
鋼鉄製網の取り付け取り外しが簡単な構造なため洗浄が容易で衛生的な押し出し器
【考案の詳細な説明】
【技術分野】
【０００１】    本考案は、茹でるなどして柔らかくした食材を押し出し均等に細かくすることで、その後の調理が簡単になり一層体内に栄養素を取りもので入れやすくなる押し出し器に関するものである。
【背景技術】
【０００２】    食材を細かくするにはまな板を用いて包丁で叩いたり、容器を用いてスプーンなどで押し潰している。
【考案の開示】
【考案が解決しようとする課題】
【０００３】    包丁を使用して細かくする場合はまな板の上で叩く方法が用いられているが、この方法は危険であり騒音を発し、洗浄に時間的負担が大きい。また、スプーンなどで押し潰す場合には大きさが均等にならない。従って、押し出すことにより前述の欠点を解決しようとするものである。
【課題を解決するための手段】
【０００４】    本考案は、硬質な円筒容器の下部に鋼鉄製の網を取り付け、その内部に食材を入れ、上部から硬質な円柱を入れ圧力をかけ押し込み鋼鉄製の網から食材が細かく押し出されることにより問題点を解決している。
【考案の効果】
【０００５】    上述の様に本考案の押し出し器は茹でるなどして柔らかくした食材を均等に細かくすることに安全、清潔の確保、時間的負担の軽減、また、騒音防止に役立つ。
【考案を実施するための最良の形態】
【０００６】    食材を入れる円筒容器の下部外側の螺旋部分に同じく螺旋状になっている鋼鉄製の網を固定し、円筒容器上部から硬質な円柱を差し入れ、上下双方の取っ手を両手で握り絞めることにより食材を押し出す。
【実施例】
【０００７】    以下、添付図面に従って一実施例を説明する。１は耐久性の硬質な材質で形成された円柱形の押し込み部、２は同様の材質で形成された円筒状の容器、３は鋼鉄製で円形の網。３と２を螺旋部分で固定し、２の容器内に食材を入れ１を２に差込、両手で１ａ、２ａを握り３から押し出す。
【図面の簡単な説明】
【０００８】
【図１】本考案の押し出し器の一実施例を示す斜視図である。
【符号の説明】
【０００９】    １    差込部
１ａ    取っ手
１ｂ    案内軸
２    容器
２ａ    取っ手
２ｂ    案内穴
３    網
【図１】
0003126916.tif 000003
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
下部に鋼鉄製の網を固定した硬質な円筒容器、円筒容器の中に差し込む硬質な円柱状の差し込み部と、前記円筒容器と差し込み部に設けた両者操作用の取っ手とにより構成した食材の押し出し器。
【手続補正２】
【補正対象書類名】明細書
【補正対象項目名】全文
【補正方法】変更
【補正の内容】
【考案の詳細な説明】
【技術分野】
【０００１】    本考案は、柔らかいまたは熱を加えるなどして柔らかくした食材を押し出し均等に細かくすることで、その後の調理が簡単になり一層体内に栄養素を取り入れやすくなる食材の押し出し器に関するものである。
【背景技術】
【０００２】    食材を細かくするにはまな板を用いて包丁で叩いたり、容器を用いてスプーンなどで押し潰している。
【考案の開示】
【考案が解決しようとする課題】
【０００３】    包丁を使用して細かくする場合はまな板の上で叩く方法が用いられているが，この方法は危険であり騒音を発し、洗浄に時間的負担が大きい。また、スプーンなので押し潰す場合には大きさが均等にならない。従って、押し出すことにより前述の欠点を解決しようとするものである。
【課題を解決するための手段】
【０００４】    本考案は、硬質な円筒容器の下部に鋼鉄製の網を取り付け、その内部に食材を入れ、上部から硬質な円柱を入れ圧力をかけ押し込み鋼鉄製の網から食材が細かく押し出されることにより解決している。
【考案の効果】
【０００５】    上述のように本考案の食材の押し出し器は柔らかいまたは熱を加えるなどして柔らかくした食材を均等に細かくすることに安全、清潔の確保、時間的負担の軽減、また、騒音防止に役立つ。
【考案を実施するための最良の形態】
【０００６】食材を入れる円筒容器２の下部外側の雄ネジ部分に雌ネジのある鋼鉄製網３を固定し、円筒容器２の上部から硬質な円柱状の差込部１を差し入れ、上下双方の取っ手１ａ、２ａを両手で握りしめることにより食材を押し出す。
【実施例】
【０００７】以下、添付図面に従って一実施例を説明する。１は硬質な材質で形成された円柱状の差込部、２は硬質な材質で形成された円筒容器、３は鋼鉄製で円形の網。鋼鉄製の網３と円筒容器２をネジ部分で固定し、円筒容器２内に食材をいれ円柱状の差込部１を円筒容器２に差込み、両手で取っ手１ａ、２ａを握り鋼鉄製の網３から押し出す。なお、２ｂは案内穴、１ｂは差込部１の案内軸で、案内穴２ｂに挿入される。
【図面の簡単な説明】
【０００８】
【図１】本考案の食材の押し出し器の一実施例を示す斜視図である。
【符号の説明】
【０００９】    １    差込部
１ａ  取っ手
１ｂ  案内軸
２    容器
２ａ  取っ手
２ｂ  案内穴
３    網
(57)【要約】      （修正有）【課題】肩に掛けたタオルが肩から落ちないようにする中央部分に切れ目を入れたタオル類を提供する。【解決手段】タオル等１の中央部分に切れ目２を入れて、切れ目に頭から通して肩に掛けるようにする。これにより入浴の際は、身体が良く温まり温浴効果を高めることができ、又バスタオルの絵柄を工夫すればファッション感覚を楽しむことができる。【選択図】図１
0003126917.tif 000002
【実用新案登録請求の範囲】
【請求項１】
中央部分に切れ目を入れて、この部分から頭を通して肩に掛けることができるようにしたタオル、手ぬぐい、バスタオル等のタオル類。
【考案の詳細な説明】
【考案の詳細な説明】
【考案が解決しようとする課題】
【０００１】    入浴の際よく温まる為にタオルを肩に掛けたり、海水浴の際に日よけの為にバスタオルを肩に掛けたりするが、いづれの場合も手で押さえたりしていないと肩からずれ落ちるという問題がある。
【課題を解決するための手段】
【０００２】    本考案はこの問題を解決する為に、タオル等に切れ目を入れ、その切れ目から頭を通して肩に掛けることができるようにしたものである。
切れ目は、繊維が解れることのないように縁取りしておく。
【考案の効果】
【０００３】    本考案によればタオルは肩から落ちることなく、入浴の際肩に掛ければ身体がよく温まり、温浴効果を高めることが出来る。
海水浴等でも本考案のバスタオルを頭から通して肩に掛ければ手で押さえ無くても、肩からバスタオルがずれ落ちることは無い。又、バスタオルの絵柄を工夫すればファッション感覚を楽しむことができる。
本考案のタオル類は、いわゆるタオルやバスタオルの他にも乳児や介護老人のよど掛け等幅広く活用できる。
【図面の簡単な説明】
【図１】    タオル類に切れ目を入れた図である。
【図２】    タオルを肩に掛けた図である。
【図３】    バスタオルを肩に掛けた図である。
【符号の説明】
１  タオル
２  切れ目
３  バスタオル
【図１】
0003126917.tif 000003
【図２】
0003126917.tif 000004
【図３】
0003126917.tif 000005
(57)【要約】      （修正有）【課題】本考案は暗い時、暗い場所での危険防止、安全確保を解決するものである。【解決手段】本考案は１耐久性の蓄光テープ、フイルム又は塗料２耐久性の蛍光テープ、フイルム又は塗料を、複合体にして、裏面を３接着材又は両面テープにて固定する事により暗い時、暗い場所で効果を発揮して危険防止、安全確保に役立つ。【選択図】図１
0003126918.tif 000002
【実用新案登録請求の範囲】
【請求項１】
蛍光材と蓄光材との複合体にして、それぞれの長所を発揮出来る一体の物品、明かりを受けると発光する蛍光材、暗い所で自発光する蓄光材、複合体にすれば、明るい時、明るい場所でも暗い時、暗い場所でも効果を発揮出来る物品となります。パターンは文字パターン、標識パターン、目印パターン等とする。
【考案の詳細な説明】
【技術分野】
【０００１】本考案は、危険防止、安全確保の為の蛍光材と蓄光材の複合体に関するものである。
【背景技術】
【０００２】危険防止、安全確保の為、明るい所で効果のある蛍光材、暗い所で効果のある蓄光材、それぞれ別々に使用されていて、蛍光材だけでは暗い時、暗い場所では効果なく、又蓄光材だけでは明るい時、明るい場所では効果がない。
【考案の開示】
【考案が解決しようとする課題】
【０００３】別々であると、蛍光材だけでは暗い所では効果なく、蓄光材だけでは明るい所では効果がないので蛍光材、蓄光材を複合体にすれば明るい時，明るい場所，暗時、暗い場所どちらの欠点も補う事ができるので前述の欠点を解決するものである。
【課題を解決するための手段】
【０００４】本考案は危険防止、安全確保の為、明るい所、暗い所全ての状況に対応できるよう蛍光材、蓄光材複合体にする事により問題点を解決している
【考案の効果】
【０００５】特に暗い危険な場所、例えば工事現場、工場、船舶、公共建物、消防設備，道路、ガードレール，ポスト等又老齢化社会で年寄りの特に暗い場所での安全確保に、役立つ。
【考案を実施するための最良の形態】
【０００６】蛍光材と蓄光材を複合体にして、これに裏面に接着材、両面テープ等で構成し、必要な場所に固定する。
【実施例】
【０００７】以下、添付図面に従って一実施例を説明する。１は耐久性の蓄光テープ、フイルム、又は蓄光塗料、この部分で暗い時、暗い所で効能を発揮する、２は蛍光テープ、フイルム、又は蛍光塗料、この部分で明るい時、明るい所、で効果を発揮する３は接着材又は両面テープ等でこの複合体を必要な場所に固定する。
【図面の簡単な説明】
【０００８】
【図１】本考案の蓄光材と蛍光材の複合体の実施例を示す正面図である。
【図２】本複合体の断面図である。
【符号の説明】
【０００９】１  耐久性の蓄光テープ、フイルム、又は塗料
２  耐久性の蛍光テープ、フイルム、又は塗料
３  接着材又は両面テープ等
【図１】
0003126918.tif 000003
【図２】
0003126918.tif 000004
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
蛍光材と蓄光材との複合体にして、それぞれの長所を発揮出来る一体の物品であり、明かりを受けると発光する蛍光材と、自発光する蓄光材との複合体であり、明るい時、明るい場所でも暗い時、暗い場所でも効果を発揮出来る物品である事を特徴とした、各種の物品パターンのある蛍光材と蓄光材の複合体。
【請求項２】
前記物品のパターンは文字パターン、標識パターン、目印パターンである請求項１記載の蛍光材と蓄光材の複合体。
(57)【要約】      （修正有）【課題】迅速、正確に選別、識別出来る手段を講じ、従来品の欠点と難点を全て、解決することが出来る、着式カバー型ラベル方式である。【解決手段】電源プラグ本体を包み接着すれば、簡単に出来上がるカバー型ラベル方式のため、電源プラグ以外、付属物がなく、コンセント、又はテーブルタップにプラグが、多数接続されていても、周辺の整然さが保たれ個々の電源プラグは、直接目視でき、ラベルに表記された電気製品名文字は正面と横側のが判読でき、確実な選別が、容易に可能となる。この事は、識別目的を、迅速にそして正確に達成でき、他の考案品での雑然さ、探す手間、煩雑さを皆無にして、解決する手段となる。【選択図】図１
0003126919.tif 000002
【実用新案登録請求の範囲】
【請求項１】
紙厚０．５ｍｍの上質紙が電源プラグの大小  形状別に型抜きされ、裏面には粘着剤の塗付をする。  剥離紙から剥がした上質紙を  電源プラグ部の周囲に巻きつけ接着使用するカバー型識別用ラベルである。
巻きつけた上質紙ラベルの表面  四面には  該当する電気製品名が表記できる。
【考案の詳細な説明】
【技術分野】
【０００１】本考案は  電気製品の端末電源プラグがコンセント  又はテーブルタップに複数接続されている時  探し出す特定の電源プラグの二面に表記された電気製品名が  目視のみで  読み取れ  手を使わず  容易に識別出来るラベルの考案である。
【背景技術】
【０００２】従来  識別用品としては  樹脂製カードケースに電気製品名を書き込んだ紙を入れ  そのケースとプラグを紐で結びつけたもの  或いはビニール樹脂板上に製品名を記入しプラグの差込金属部につける物などであった。
【考案の開示】
【考案が解決しようとする課題】
【０００３】カードケースをプラグに結び付けていては  プラグが多数ある場合では、探すプラグを特定するのに  紐を手繰るなど煩雑するケース群の中から選り分け  判読するなど  迅速さ  確実さに欠けていた。
他  タップに挿し込む板状のラベルでは  折れ曲がったり  汚れたり  或いは読み取る方向が一方向のみで  判別するのに迷い  手間がかかる煩雑さがある。  樹脂板を挟むので  隙間の埃からの漏電の危惧もある。
【課題を解決するための手段】
【０００４】本考案は  電源プラグ本体の四面に  粘着剤が裏付けされた上質紙を直に蜜接着するカバー型ラベルで  その周囲面には  電気製品名を表記する。
この仕上り形態では  プラグが多数  複雑に  又接近してタップに差し込まれていても  プラグ以外  他に何もないので  表記製品名の読み取りは二方向から  迅速に  確実に出来るようになる。
【考案の効果】
【０００５】本考案は電源プラグ部本体を上質紙で包み接着させるカバー型ラベルで記載出来る面は  四面できる。  この面に記載された電気製品名文字は  必ず  二面が直視出来  容易に確実に  迅速に判読できる。
このラベルは  破損  汚れの付着などの恐れは  皆無である。
接着剤のため  剥がれ落ちも  決してない。      コンセント、テーブル  タップに多数接続差し込まれていても  手を煩わす事もなく  直視で確実に探し出し特定が  すばやくできる効果がある。
【考案を実施するための最良の形態】
【０００６】厚さ０．５ミリの上質紙裏面に接着剤を塗布し  電源プラグの大小  形状に合わせ型抜きし  剥離紙台紙に貼られた形で  用意される。  電源プラグに適したものを選んで  プラグ部本体の周囲四面に沿って  接着貼り合せカバーする。    上質紙には  前後  左右に電気製品名が表記できる。
コード部に上質紙を広げれば  記入域が  より広くとれる。
【図面の簡単な説明】
【０００７】
【図１】本考案の電源プラグサイズに型抜きされた  上質紙カバー型接着式ラベルの  平面図
【図２】ラベルが電源プラグを包み  接着装着された状態の平面図
【図３】図  ２の立体図
【図４】図  ２の状態の電源プラグが  コンセントに複数差込  使用されている斜視図
【符号の説明】
【０００８】１      電源プラグの大きさに合わせて  型抜きされた上質紙のラベル本体
２      電気製品名を  表記する個所
３      電源プラグの形に  折り曲げやすくする  折案内線
４      電源プラグの  接続金属端子
５      電線コード
【図１】
0003126919.tif 000003
【図２】
0003126919.tif 000004
【図３】
0003126919.tif 000005
【図４】
0003126919.tif 000006
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
紙厚０．５ｍｍの上質紙が  電源プラグの大小  形状別に型抜きされ  裏面には  粘着剤が塗付してあり  プラグの周囲に巻きつけ接着し  表面四面に  該当する電気製品名を表記して使用する  カバー型接着式識別用  ラベルである。
(57)【要約】      （修正有）【課題】ゴミ箱を置くスペースに柔軟に対応できるようにし、またゴミ袋を簡単に固定できるようにする。【解決手段】  フレーム構造で開閉できるようにすることでゴミ箱の大きさ（設置面積）を変化させる。また、フレームの上部にキャップ３を取り付け、それぞれに２カ所スリットをつけてある。このスリットにゴミ袋上部の４点を挟み込んで固定することでゴミ袋がはずれるのを防ぐ。【選択図】図１
0003126908.tif 000002
【実用新案登録請求の範囲】
【請求項１】
二つのフレームを交差させることで開閉することでゴミ箱の設置形状を変化させスペースに柔軟に対応し、またゴミ袋を簡単に固定できる特徴のゴミ箱。
【考案の詳細な説明】
【技術分野】
【０００１】
本考案は、スペースに柔軟に対応するゴミ箱に関するものである。
【背景技術】
【０００２】
一般的に家庭で使っているゴミ箱は、プラスチック製で大きさの変更はできない。また、ゴミ袋の上端をゴミ箱の上部から外側へ巻くようにしたり、さらにその上からふたを被せたりすることで固定している。
【考案の開示】
【考案が解決しようとする課題】
【０００３】
ゴミ箱を置くスペースに柔軟に対応できるようにし、またゴミ袋を簡単に固定できるようにする。
【課題を解決するための手段】
【０００４】
フレーム構造で開閉できるようにすることでゴミ箱の大きさ（設置面積）を変化させる。また、フレームの上部にキャップを取り付け、それぞれに２カ所スリットをつけてある。このスリットにゴミ袋上部の４点を挟み込んで固定することでゴミ袋がはずれるのを防ぐ。
【考案の効果】
【０００５】
上述のように、住宅の家具の配置を変更したりオフィスでの棚等の配置を変更したりしたときでも、ゴミ箱を置くスペースに柔軟に対応でき、またゴミ袋を簡単に固定できる。
【考案を実施するための最良の形態】
【０００６】
図１のようにフレームを交差させ、開閉することでゴミ箱の大きさ（設置面積）を変化させる。
【０００７】
フレームの上部にはキャップを取り付け、それに２カ所スリットをつけてある。
【実施例】
【０００８】
フレームにはパイプを使用し、底部の水平パイプを交差させて開閉できる状態で止める。縦のパイプにはそれぞれ下方にキャスターを付け、そのうち２個はストッパー付きとする。このことで開閉や移動をスムーズにでき、場所を固定できる。また、縦のパイプの上部にはスリットが２カ所ついたキャップ３を取り付ける。ゴミ袋上部の４点をそれぞれキャップのスリットａ、ｂに挟み込んで固定することでゴミ袋脱着を容易にする。
【図面の簡単な説明】
【０００９】
【図１】本考案のスペース対応型ゴミ箱の一実施例を示す透視図である。
【図２】キャップ拡大図
【符号の説明】
【００１０】
１  パイプ
２  キャスター
３  キャップ
４  ゴミ袋
【図１】
0003126908.tif 000003
【図２】
0003126908.tif 000004
(57)【要約】【課題】  本考案のアルミケースは様々な重箱サイズに対応し、且つ料理をより豪華にみせる。【解決手段】  本考案は重箱サイズに合った１を作成し、２の中心に合わせ四方をしっかりと折りこむことにより様々な重箱サイズに対応できる隙間のないケースが出来上がり、２ａ面を内側にすることで料理がより豪華に映える。【選択図】図１
0003126904.tif 000002
【実用新案登録請求の範囲】
【請求項１】
アルミで作られた食品用ケースで、シンプルでありながらも豪華さを出すため内側に色・柄をいれ、お節料理ほかお祝い用重箱の仕切りに合わせて様々なサイズに対応できるものとする。また内側の着色に関しても含有物の数値が食品衛生法に定められる基準以下のものを使用する重箱用アルミケースとする。
【考案の詳細な説明】
【技術分野】
【０００１】  本考案は重箱の様々なサイズに対応でき、内側を着色することにより料理が映え豪華さを増すためのアルミケースに関するものである。
【背景技術】
【０００２】  規格のものでは、各店で用意されている重箱にはなかなか合わず不具合が生じていた。
【考案の開示】
【考案が解決しようとする課題】
【０００３】  規格のものでは各店で用意されている重箱の仕切りに丁度合うものが無いうえに、外側に色・柄があるため仕切りにはめ込むと全く見えず料理が映えなかった。従って、各店で提示されるサイズに型を合わせ、また内側に色を入れることにより前述の欠点を解決しようとするものである。
【課題を解決するための手段】
【０００４】  本考案は各店で用意されている全てのお節料理ほかお祝い用重箱の仕切りに対応し、且つ料理の豪華さを増すため内側に色・柄を入れることにより問題点を解決している。
【考案の効果】
【０００５】  上述のように本考案の重箱用アルミケースは含有物の数値が食品衛生法に定められる基準以下のものを使用することは勿論、重箱サイズに合わせて型を作るため様々なサイズに対応でき、しかも内側に色・柄を入れることにより盛り付けた料理に豪華さをだすことが可能である。
【考案を実施するための最良の形態】
【０００６】  アルミは含有物の数値が食品衛生法に定められる基準以下で、折り目をつけやすく且つ丈夫である０．０３ミリの厚さのものを使用する。重箱サイズに作成した型を正方形または長方形の角切りしたアルミシートの中心に合わせ、隙間が出来ないように四方から折りこんでいく。その際、内側に色・柄面を合わせる。
【実施例】
【０００７】  以下、添付図面に従って一実施例を説明する。１は重箱サイズに合わせて作成した型、２は正方形または長方形の角切りしたアルミシートで、１を２の中心に合わせ四方から隙間ができないように折りこむ。２ａは色・柄面とし、内側にくるようにする。またアルミに関しては、含有物の数値が食品衛生法に定められる基準以下とし、折り目をつけやすく且つ、丈夫である０．０３ミリの厚さのものとする。【０００８】  四方を折りこみ出来上がったケースを、３にある重箱の仕切りにはめ込む。
【図面の簡単な説明】
【０００９】
【図１】本アルミケースの立体図である。
【図２】本アルミケースの展開図である。
【図３】本考案の重箱用アルミケースの一実施例を示す装着図である。
【符号の説明】
【００１０】１  型
２  アルミシート
３  重箱
【図１】
0003126904.tif 000003
【図２】
0003126904.tif 000004
【図３】
0003126904.tif 000005
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
・内側に含有物の数値が食品衛生法に定められる基準以下の色・柄をいれた重箱用食品アルミケース
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
・含有物の数値が食品衛生法に定められる基準以下の色・柄を入れたアルミシートを使用し、色・柄面を内側に、隙間ができないように四方から折り込んだ重箱用アルミケース